(57)【要約】【課題】電池により動作する携帯通信端末で、電池充電時期を使用者毎の要求に応じ最適に報知することを可能とし、より使い勝手を良くする。【解決手段】携帯通信端末の中央制御部１０６で、報知条件登録・読出部１０６１は、操作パネル１０２の操作入力により任意の電池残量変化点での警報報知およびその報知形態の登録，読出しを行う。電池残量変化点検出部１０６２は、Ａ／Ｄ変換器１１０により変換された電池１１１の端子電圧を監視して電池残量を決定し、報知条件登録・読出部１０６１によって設定された変化点を検出する。報知制御部１０６３は、電池残量変化点検出部１０６２の検出結果に基づき、あらかじめ定めた報知動作を行わせる。【選択図】　　　図２
2004120235.tif 000002
【特許請求の範囲】
【請求項１】
電池により動作する表示機能付き携帯通信端末において、電池残量が減ったことの報知を電池残量表示の変化点により任意に操作設定する登録手段を有することを特徴とする携帯通信端末。
【請求項２】
電池により動作する表示機能付き携帯通信端末において、電池残量が減ったことの報知を電池残量パーセンテージにより任意に操作設定する登録手段を有することを特徴とする携帯通信端末。
【請求項３】
電池残量表示があらかじめ操作設定された第１の表示から第２の表示に変化する変化点になったことを検出し所定の報知を行う制御手段を有することを特徴とする請求項１記載の携帯通信端末。
【請求項４】
電池残量パーセンテージがあらかじめ操作設定された値になったことを検出し所定の報知を行う制御手段を有することを特徴とする請求項２記載の携帯通信端末。
【請求項５】
前記制御手段は、メロディで報知を行うことを特徴とする請求項３または４記載の携帯通信端末。
【請求項６】
前記制御手段は、振動パターンで報知を行うことを特徴とする請求項３または４記載の携帯通信端末。
【請求項７】
電池により動作する表示機能付き携帯通信端末において、操作入力により任意の電池残量変化点での警報報知およびその報知形態の登録，読出しを行う報知条件登録・読出部と、電池の端子電圧を監視して電池残量を決定し前記報知条件登録・読出部によって設定された変化点を検出する電池残量変化点検出部と、前記電池残量変化点検出部の検出結果に基づきあらかじめ定めた報知動作を行わせる報知制御部とを備えることを特徴とする携帯通信端末。
【請求項８】
前記報知条件登録・読出部は電池残量表示が第１の表示から第２の表示に変化する変化点により登録し、前記電池残量変化点検出部は前記変化点になったことを検出し所定の報知を行うことを特徴とする請求項７記載の携帯通信端末。
【請求項９】
前記報知条件登録・読出部は電池残量パーセンテージにより登録し、前記電池残量変化点検出部はあらかじめ操作設定されたパーセンテージの値になったことを検出し所定の報知を行うことを特徴とする請求項７記載の携帯通信端末。
【請求項１０】
前記報知制御部は、警報音，メロディおよび振動パターンのいずれかにより報知を行わせることを特徴とする請求項７〜９のいずれか１項に記載の携帯通信端末。
【請求項１１】
電池により動作する表示機能付きの携帯通信端末における電池残量登録・報知方法であって、電池残量表示の変化を示す複数の画像を自端末の表示部に表示し，これらの表示画像の中から警報を発生させる変化点を示す画像を使用者に任意に選択させ登録することを特徴とする携帯通信端末における電池残量登録・報知方法。
【請求項１２】
電池の端子電圧を監視して電池残量を決定し、電池残量に変化があった場合、表示部における電池残量表示を変更し、あらかじめ設定した変化と同一状態になったときに警報を発生することを特徴とする請求項１１記載の携帯通信端末における電池残量登録・報知方法。
【請求項１３】
電池残量表示の変化を示す複数の画像に対応させて特定のメロディまたは振動パターンを割り付けることを特徴とする請求項１１または１２記載の携帯通信端末における電池残量登録・報知方法。
【請求項１４】
電池により動作する表示機能付きの携帯通信端末における電池残量登録・報知方法であって、警報を発生すべき電池残量のパーセンテージの値を使用者に任意に指定させて携帯通信端末の表示部に表示し、登録することを特徴とする携帯通信端末における電池残量登録・報知方法。
【請求項１５】
電池の端子電圧を監視して電池残量を決定し、電池残量に変化があった場合、あらかじめ設定したパーセンテージの値と同一値になったときに警報を発生することを特徴とする請求項１４記載の携帯通信端末における電池残量登録・報知方法。
【発明の詳細な説明】
【０００１】
【発明の属する技術分野】
本発明は電池により動作する携帯電話機等の携帯通信端末に関し、特にその電池残量の報知機能に関する。
【０００２】
【従来の技術】
従来、携帯電話機の電池残量がなくなったことを報知するタイミングは、図３の電池残量表示でいうと、（ｂ）から（ａ）に変化したとき、すなわち“「レベル１」→「レベル０」”と変化したときとしたものが一般的で、そのタイミングで警報音を鳴らすか、あるいはバイブレータの振動により使用者に通知し、充電することを促す方法が知られている。ただし、この警報音がなった後はわずかな時間しか携帯電話機を使用することができなくなっているため、充電するまでは使用したくても使えない状態になってしまう。そこで使用者は電池残量警報が鳴る前に頻繁に電池残量を確認し、電池残量表示が図３（ｂ）または（ｃ）の状態になったところで早めに充電するようにして対応することが多い。
【０００３】
第１の従来例とし電池により動作する電話装置において、電池残量があらかじめ定めた量より低くなったとき、対応するレベルに応じて振動させることにより、電池残量表示をみることなくその残量を確認可能にしている（例えば、特許文献１参照。）。
【０００４】
第２の従来例とし携帯端末装置において、電池残量を検出しその使用量が複数のしきい値を超えるたびに、それらに対応した電池残量を示す音をミキシングしてスピーカから送出あるいはバイブレータを振動させて報知している。これにより、表示を見なくとも電池残量を知ることができる（例えば、特許文献２参照。）。
【０００５】
【特許文献１】
特開２０００−５９４７３号公報（図３）
【特許文献２】
特開平２０００−１０６６９３号公報（図１、図２）
【０００６】
【発明が解決しようとする課題】
しかしながら、使用者により充電すべきだと判断する電池残量には個人差があり、例えば図３（ｂ）の状態になったときに充電する人もいれば、図３の（ｃ）の状態になったときに充電する人もおり、様々である。また、電池残量の警報報知の設定を電池残量のパーセンテージで使用者に応じて任意に設定でき、もっと細かく設定したい使用者に対してもその要求にこたえることが求められている。さらに、電池残量が設定した値に変化したことをメロディー音、または振動動作で知らせ、耳障りな警報音ではなく、使用者のみが認識できる音または振動で電池残量を報知することができる機能が求められている。
【０００７】
本発明の目的は、電池残量の変化点を任意に設定することにより、電池充電時期を使用者毎の要求に応じ最適に報知することを可能とし、より使い勝手のよい携帯通信端末およびその電池残量登録・報知方法を提供することにある。
【０００８】
【課題を解決するための手段】
上記の課題を解決するため請求項１記載の本発明では、電池により動作する表示機能付き携帯通信端末において、電池残量が減ったことの報知を電池残量表示の変化点により任意に操作設定する登録手段を有するようにする。
【０００９】
請求項２記載の本発明では、電池により動作する表示機能付き携帯通信端末において、電池残量が減ったことの報知を電池残量パーセンテージにより任意に操作設定する登録手段を有するようにする。
【００１０】
請求項３記載の本発明では、請求項１記載の携帯通信端末において、電池残量表示があらかじめ操作設定された第１の表示から第２の表示に変化する変化点になったことを検出し所定の報知を行う制御手段を有するようにする。
【００１１】
請求項４記載の本発明では、請求項２記載の携帯通信端末において、電池残量パーセンテージがあらかじめ操作設定された値になったことを検出し所定の報知を行う制御手段を有するようにする。
【００１２】
請求項５記載の本発明では、請求項３または４記載の携帯通信端末において、前記制御手段はメロディで報知を行うようにする。
【００１３】
請求項６記載の本発明では、請求項３または４記載の携帯通信端末において、前記制御手段は振動パターンで報知を行うようにする。
【００１４】
請求項７記載の本発明では、電池により動作する表示機能付き携帯通信端末において、操作入力により任意の電池残量変化点での警報報知およびその報知形態の登録，読出しを行う報知条件登録・読出部と、電池の端子電圧を監視して電池残量を決定し前記報知条件登録・読出部によって設定された変化点を検出する電池残量変化点検出部と、前記電池残量変化点検出部の検出結果に基づきあらかじめ定めた報知動作を行わせる報知制御部とを備えるようにする。
【００１５】
請求項８記載の本発明では、請求項７記載の携帯通信端末において、前記報知条件登録・読出部は電池残量表示が第１の表示から第２の表示に変化する変化点により登録し、前記電池残量変化点検出部は前記変化点になったことを検出し所定の報知を行うようにする。
【００１６】
請求項９記載の本発明では、請求項７記載の携帯通信端末において、前記報知条件登録・読出部は電池残量パーセンテージにより登録し、前記電池残量変化点検出部はあらかじめ操作設定されたパーセンテージの値になったことを検出し所定の報知を行うようにする。
【００１７】
請求項１０記載の本発明では、請求項７〜９のいずれか１項に記載の携帯通信端末において、前記報知制御部は、警報音，メロディおよび振動パターンのいずれかにより報知を行わせるようにする。
【００１８】
請求項１１記載の本発明では、電池により動作する表示機能付きの携帯通信端末における電池残量登録・報知方法を、電池残量表示の変化を示す複数の画像を自端末の表示部に表示し，これらの表示画像の中から警報を発生させる変化点を示す画像を使用者に任意に選択させ登録するようにする。
【００１９】
請求項１２記載の本発明では、請求項１１記載の携帯通信端末における電池残量登録・報知方法において、電池の端子電圧を監視して電池残量を決定し、電池残量に変化があった場合、表示部における電池残量表示を変更し、あらかじめ設定した変化と同一状態になったときに警報を発生するようにする。
【００２０】
請求項１３記載の本発明では、請求項１１または１２記載の携帯通信端末における電池残量登録・報知方法において、電池残量表示の変化を示す複数の画像に対応させて特定のメロディまたは振動パターンを割り付けるようにする。
【００２１】
請求項１４記載の本発明では、電池により動作する表示機能付きの携帯通信端末における電池残量登録・報知方法を、警報を発生すべき電池残量のパーセンテージの値を使用者に任意に指定させて携帯通信端末の表示部に表示し、登録するようにする。
【００２２】
請求項１５記載の本発明では、請求項１４記載の携帯通信端末における電池残量登録・報知方法において、電池の端子電圧を監視して電池残量を決定し、電池残量に変化があった場合、あらかじめ設定したパーセンテージの値と同一値になったときに警報を発生するようにする。
【００２３】
本発明によれば、電池残量表示が図３の（ｂ）または（ｃ）の状態に変化したとき（“「レベル２」→「レベル１」”または“「レベル３」→「レベル２」”と変化したとき）に電池残量が減ったことを報知させることができるので、電池残量がなくなる状態になるまで気づかないということを防ぐことができる。また、設定した任意の電池残量パーセンテージになれば、自動的にその旨を報知してくれるので、使用者は電池残量を頻繁に確認する必要がなくなり、安心して携帯電話機を使用することができるようになる。
【００２４】
【発明の実施の形態】
次に、本発明の実施の形態について図面を参照して詳細に説明する。
【００２５】
図１は本発明の第１の実施の形態における携帯端末の一例としての携帯電話機の外観を表したものである。この電池により動作する表示機能付き携帯電話機１０１は、その装置本体１１２の表面に表示のための液晶ディスプレイ１０３と、使用者が数字等の入力を行う操作パネル１０２と、マイクロフォン１１３と、スピーカ１０９とが配置されている。
【００２６】
図２はこの携帯電話機の回路構成の要部を表したものである。携帯電話機１０１は各種制御を行うための中央制御部１０６を備えている。中央制御部１０６は図示しないＣＰＵ（中央処理装置）と制御用のプログラムを格納したＲＯＭ（リード・オンリ・メモリ）を備えている。この中央制御部１０６は、各種データを格納するためのＲＡＭ（ランダム・アクセス・メモリ）１０７に接続される他、図示しない入出力用のインタフェース回路あるいは駆動制御回路を介して操作パネル１０２、液晶ディスプレイ１０３、無線部１０４、バイブレータ１０８、スピーカ１０９、ならびにＡ／Ｄ変換器１１０と接続されている。無線部１０４は電波の送受信のためのアンテナ１０５を配置している。Ａ／Ｄ変換器１１０は電池１１１の端子電圧を監視している。
【００２７】
電池残量は、電池１１１の端子電圧をＡ／Ｄ変換器１１０によりＡ／Ｄ変換された値と、あらかじめ定められた値とを比較し決定される。例えば３．０Ｖ以上３．２Ｖ未満の電圧であれば電池残量を「レベル０」、３．２Ｖ以上３．５Ｖ未満であれば電池残量を「レベル１」、３．５Ｖ以上３．８Ｖ未満であれば電池残量を「レベル２」、３．８Ｖ以上４．２Ｖ未満であれば電池残量を「レベル３」と検出するようにする。これは、電池電圧と電池残量は所定の関係にあり、電池残量が少なくなるほど端子電圧が低くなることを利用している。
【００２８】
中央制御部１０６は、報知条件登録・読出部１０６１と、電池残量変化点検出部１０６２と、報知制御部１０６３とを備える。報知条件登録・読出部１０６１は、操作パネル１０２の操作入力により任意の電池残量変化点での警報報知およびその報知形態の登録，読出しを行う。電池残量変化点検出部１０６２は、Ａ／Ｄ変換器１１０により変換された電池１１１の端子電圧を監視して電池残量を決定し、報知条件登録・読出部１０６１によって設定された変化点を検出する。報知制御部１０６３は、電池残量変化点検出部１０６２の検出結果に基づき、あらかじめ定めた報知動作を行わせる。報知条件登録・読出部１０６１は、電池残量表示が第１の表示から第２の表示に変化する変化点により登録し、電池残量変化点検出部１０６２はこの変化点になったことを検出し所定の報知を行う。
【００２９】
図３はこの時の携帯電話機の電池残量表示の一例を表したもので、（ａ）は電池残量の「レベル０」、（ｂ）は「レベル１」、（ｃ）は「レベル２」、（ｄ）は「レベル３」のように液晶ディスプレイ１０３に表示する。
【００３０】
図２に示した中央制御部１０６は電池１１１の端子電圧の変化により電池残量に変化があるか否かを検出する。変化があった場合に、使用者があらかじめ設定した電池残量の変化点と同じであるかを判定する。そして同じであったとき、スピーカ１０９から警報音を鳴動させ、使用者に対して所望の電池残量になったことを知らせる。この実施の形態は電池残量表示を「レベル０」から「レベル４」までの４段階としているが、４段階以外の複数の段階としても構わない。
【００３１】
次に、本発明の第１の実施の形態の動作について図面を参照して説明する。
【００３２】
以下に本実施の形態における電池残量がどの量に変化したときに警報音を鳴らすのかを登録する方法について説明する。図４はその登録手順を示すフローチャートである。
【００３３】
図２に示した中央制御部１０６は、操作パネル１０２の特定キーとしてのＦＣＮキーを押されたかどうかを監視している（図４のステップ１１：Ｓ１１と略称、以下同様）。ＦＣＮキーが押されて（Ｙｅｓ）、続いて“１”キーが押されたら（Ｓ１２：Ｙｅｓ）、中央制御部１０６は電池残量がどの量に変化したときに警報音を鳴らすかを指定するモードに移行する。このモードでは液晶ディスプレイ１０３に電池残量の変化点が表示される（Ｓ１３）。
【００３４】
表示の方法はＳ１３のように電池残量表示を利用したものでもよいし、“「レベル３」→「レベル２」”のように文字列で示してもよい。使用者はこの一覧の中から警報音を鳴らしたいタイミングを示す番号を“１”〜“３”キー押下で指定する（Ｓ１４）。入力したタイミングを示す番号をＲＡＭ１０７に登録して確定させるためには確定キーを押せばよい（Ｓ１５：Ｙｅｓ）。これにより希望する電池残量での警報音鳴動の登録動作が完了する（Ｓ１６）。
【００３５】
次に使用者が設定した電池残量に変化したときの動作を説明する。図５はそのフローチャートである。
【００３６】
図２に示した制御部１０６は電池残量検出動作を定期的に起動する。電池残量の検出処理が起動（図５のＳ２１）されると、中央制御部１０６はＡ／Ｄ変換器１１０を動作させる。Ａ／Ｄ変換器１１０は電池１１１の端子電圧を監視しており、端子電圧をＡ／Ｄ変換した値を中央制御部１０６に送る。中央制御部１０６ではその値から電池残量を決定する。次に、電池残量が「レベル３」から「レベル２」のように、変化しているかを確認する（Ｓ２２）。変化があった場合（Ｙｅｓ）、電池残量表示を変化させる（Ｓ２３）。そして中央制御部１０６は、電池残量の変化値が、使用者が設定した値であるかをＲＡＭ１０７に登録されたデータを読み出し比較する（Ｓ２４）。使用者が設定した値と同じであった場合、警報音の鳴動動作を行い、使用者が所望した電池残量になったことを報知する（Ｓ２５）。
【００３７】
本発明では、電池残量が変化したことを使用者が選択する特定のメロディーで報知することも可能である。図６はその登録手順を示すフローチャートである。
【００３８】
図２に示した中央制御部１０６は操作パネル１０２の特定キーとしてのＦＣＮキーを押されたかどうかを監視している（図６のＳ３１）。ＦＣＮキーが押されて（Ｙｅｓ）、続いて“２”キーが押されたら（Ｓ３２：Ｙｅｓ）、中央制御部１０６は電池残量がどの量に変化したときにメロディー音を鳴らすかを指定するモードに移行する。このモードでは液晶ディスプレイ１０３に電池残量の変化点が表示される（Ｓ３３）。
【００３９】
表示の方法はＳ３３のように電池残量表示を利用したものでもよいし、“「レベル３」→「レベル２」”のように文字列で示してもよい。使用者はこの一覧の中からメロディー音を鳴らして欲しいタイミングを示す番号を“１”〜“３”キー押下で指定する（Ｓ３４）。次に、携帯電話機に登録されている複数のメロディー音の中から電池残量の変化時に鳴らしたい特定のメロディーを指定する番号を入力する（Ｓ３５）。Ｓ３４で設定したタイミングを示す番号とメロディー番号をＲＡＭ１０７に登録して確定させるためには確定キーを押せばよい（Ｓ３６：Ｙｅｓ）。これにより希望する電池残量で特定のメロディーを鳴動させる登録動作が完了する（Ｓ３７）。
【００４０】
次に使用者が設定した電池残量に変化したときの動作を説明する。図７はそのフローチャートである。
【００４１】
図２に示した制御部１０６は電池残量検出動作を定期的に起動する。電池残量の検出処理が起動（図７のＳ４１）されると、中央制御部１０６はＡ／Ｄ変換器１１０を動作させる。Ａ／Ｄ変換器１１０は電池１１１の端子電圧を監視しており、端子電圧をＡ／Ｄ変換した値を中央制御部１０６に送る。中央制御部１０６ではその値から電池残量を決定する。次に、電池残量が「レベル３」から「レベル２」のように、変化しているかを確認する（Ｓ４２）。変化があった場合（Ｙｅｓ）、電池残量表示を変化させる（Ｓ４３）。
【００４２】
そして中央制御部１０６は、電池残量の変化値が使用者が設定した値であるか否かをＲＡＭ１０７に登録されたデータを読み出し比較する（Ｓ４４）。使用者が設定した値と同じであった場合、ＲＡＭ１０７よりメロディー番号を読み出し、その特定のメロディー音を鳴動することにより、使用者が所望した電池残量になったことを報知する（Ｓ４５）。特定のメロディーは着信メロディーなどに使用していないものにしておけば、使用者は電池残量の変化でのメロディー音の鳴動であることを認識することができる。
【００４３】
さらに、電池残量が変化したことを使用者が選択する特定の振動パターンによるバイブレータ動作で報知することも可能である。図８はその登録手順を示すフローチャートである。
【００４４】
図２に示した中央制御部１０６は操作パネル１０２の特定キーとしてのＦＣＮキーを押されたかどうかを監視している（図８のＳ５１）。ＦＣＮキーが押されて（Ｙｅｓ）、続いて“３”キーが押されたら（Ｓ５２：Ｙｅｓ）、中央制御部１０６は電池残量がどの量に変化したときにバイブレータ動作を行うかを指定するモードに移行する。このモードでは液晶ディスプレイ１０３に電池残量の変化点が表示される（Ｓ５３）。
【００４５】
表示の方法はＳ５３のように電池残量表示を利用したものでもよいし、“「レベル３」→「レベル２」”のように文字列で示してもよい。使用者はこの一覧の中からバイブレータ動作による報知動作をして欲しいタイミングを示す番号を“１”〜“３”キー押下で指定する（Ｓ５４）。次に、携帯電話機に登録されている複数のバイブレータ動作の振動パターンの中から、電池残量の変化時に動作して欲しい特定の振動パターンを指定する番号を入力する（Ｓ５５）。Ｓ５４で設定したタイミングを示す番号とバイブレータ動作の振動パターン番号をＲＡＭ１０７に登録して確定させるためには確定キーを押せばよい（Ｓ５６：Ｙｅｓ）。これにより希望する電池残量で特定の振動パターンによる報知を行うための登録動作が完了する（Ｓ５７）。
【００４６】
次に、使用者が設定した電池残量に変化したときの動作を説明する。図９はそのフローチャートである。
【００４７】
図２に示した中央制御部１０６は電池残量検出動作を定期的に起動する。電池残量の検出処理が起動（図９のＳ６１）されると、中央制御部１０６はＡ／Ｄ変換器１１０を動作させる。Ａ／Ｄ変換器１１０は電池１１１の端子電圧を監視しており、端子電圧をＡ／Ｄ変換した値を中央制御部１０６に送る。中央制御部１０６ではその値から電池残量を決定する。次に、電池残量が「レベル３」から「レベル２」のように、変化しているかを確認する（Ｓ６２）。変化があった場合（Ｙｅｓ）、電池残量表示を変化させる（Ｓ６３）。そして中央制御部１０６は電池残量の変化値が、使用者が設定した値と同一であるかをＲＡＭ１０７に登録されたデータを読み出し比較する（Ｓ６４）。使用者が設定した値と同じであった場合、ＲＡＭ１０７より振動パターンを読み出し、その特定の振動パターンによりバイブレータを動作することにより、使用者が所望した電池残量になったことを報知する（Ｓ６５）。特定の振動パターンは着信時の振動パターンなどに使用していないものにしておけば、使用者は電池残量の変化でのバイブレータ動作であることを認識することができる。
【００４８】
次に、本発明の第２の実施の形態について図面を参照して説明する。
【００４９】
この実施の形態では、携帯電話機の構成そのものは上述した図１〜図３と同様なので図示を省略するが、報知して欲しい電池残量をパーセント表示によって設定することでさらに細かく所望の電池残量を特定することができる。電池残量をパーセントにて表す場合、電池電圧のＡ／Ｄ変換値を電池残量に変換するテーブルをあらかじめ作成しておき、ＲＡＭ１０７に登録しておく。より詳細には、図２（ｂ）の報知条件登録・読出部１０６１が電池残量パーセンテージにより登録し、電池残量変化点検出部１０６２があらかじめ操作設定されたパーセンテージの値になったことを検出し所定の報知を行う。
【００５０】
図１０は、電池残量パーセントがどの値に変化したときに警報音を鳴らすのかを登録する手順を示すフローチャートである。
【００５１】
図２に示した中央制御部１０６は操作パネル１０２の特定キーとしてのＦＣＮキーを押されたかどうかを監視している（図１０のＳ７１）。ＦＣＮキーが押されて（Ｙｅｓ）、続いて“４”キーが押されたら（Ｓ７２：Ｙｅｓ）、中央制御部１０６は、電池残量がどの量に変化したときに警報音を鳴らすかのを指定するモードに移行する。ここで使用者は所望の電池残量のパーセンテージを操作パネルより“０”から“９９”の範囲にて入力する（Ｓ７３）。そのパーセンテージをＲＡＭ１０７に登録して確定させるためには確定キーを押せばよい（Ｓ７４：Ｙｅｓ）。これにより希望する電池残量での警報音鳴動の登録動作が完了する（Ｓ７５）。
【００５２】
次に、使用者が設定した電池残量パーセントに変化したときの動作を説明する。図１１はそのフローチャートである。
【００５３】
図２に示した中央制御部１０６は電池残量検出動作を定期的に起動する。電池残量の検出処理が起動（図１１のＳ８１）されると、中央制御部１０６はＡ／Ｄ変換器１１０を動作させる。Ａ／Ｄ変換器１１０は電池１１１の端子電圧を監視しており、端子電圧をＡ／Ｄ変換した値を中央制御部１０６に送る。中央制御部１０６では、その値をＲＡＭ１０７に登録されているテーブル値から電池残量のパーセンテージに変換し、その値から電池残量が変化しているか否かを確認する（Ｓ８２）。そして中央制御部１０６は、電池残量のパーセント値が使用者の設定したパーセント値であるか否かをＲＡＭ１０７に登録されたデータを読み出し比較する（Ｓ８３）。使用者が設定した値と同じであった場合、警報音の鳴動動作を行い使用者が所望した電池残量になったことを報知する（Ｓ８４）。
【００５４】
【発明の効果】
以上説明したように本発明によれば、電池残量表示のレベルが第１の表示レベルから第２の表示レベルと変化したときに電池残量が減ったことを報知させることができるので、電池残量がなくなるまで気づかずに携帯電話機としての機能が使えなくなるということを防ぐことができる。また、使用者が任意に設定した電池残量パーセントになれば、自動的にその旨を報知してくれるので、使用者は電池残量を頻繁に確認する必要がなくなり安心して携帯電話機を使用することができるようになる。使用者により報知して欲しい電池残量、例えば充電するべきだと判断する電池残量には個人差があるが、本発明では報知して欲しい電池残量表示の変化点を任意に設定できるので、使用者ごとのより細かい要求にこたえることができるようになり、使い勝手が向上する。
【図面の簡単な説明】
【図１】本発明の第１の実施の形態における携帯端末の一例としての携帯電話機の外観を表した図である。
【図２】（ａ）は本発明の第１の実施の形態における携帯電話機の回路構成の要部を表した図である。（ｂ）は（ａ）における中央制御部の要部を表したブロック図である。
【図３】携帯電話機の電池残量表示の一例を表した図である。
【図４】電池残量がどの量に変化したときに警報音を鳴らすのかを登録する手順を示すフローチャートである。
【図５】使用者が設定した電池残量に変化したときの動作を説明するためのフローチャートである。
【図６】電池残量がどの量に変化したときに特定のメロディーを鳴らすかのを登録する手順を示すフローチャートである。
【図７】使用者が設定した電池残量に変化したときの動作を説明するためのフローチャートである。
【図８】電池残量がどの量に変化したときに特定の振動パターンによるバイブレータ動作を行うように登録する手順を示すフローチャートである。
【図９】使用者が設定した電池残量に変化したときの動作を説明するためのフローチャートである。
【図１０】本発明の第２の実施の形態における電池残量パーセントがどの値に変化したときに警報音を鳴らすのかを登録する手順を示すフローチャートである。
【図１１】使用者が設定した電池残量パーセントに変化したときの動作を説明するためのフローチャートである。
【符号の説明】
１０１　　携帯電話機
１０２　　操作パネル
１０３　　液晶ディスプレイ
１０４　　無線部
１０５　　アンテナ
１０６　　中央制御部
１０７　　ＲＡＭ
１０８　　バイブレータ
１０９　　スピーカ
１１０　　Ａ／Ｄ変換器
１１１　　電池
１１２　　装置本体
１１３　　マイクロフォン
１０６１　　報知条件登録・読出部
１０６２　　電池残量変化点検出部
１０６３　　報知制御部
【図１】
2004120235.tif 000003
【図２】
2004120235.tif 000004
【図３】
2004120235.tif 000005
【図４】
2004120235.tif 000006
【図５】
2004120235.tif 000007
【図６】
2004120235.tif 000008
【図７】
2004120235.tif 000009
【図８】
2004120235.tif 000010
【図９】
2004120235.tif 000011
【図１０】
2004120235.tif 000012
【図１１】
2004120235.tif 000013